(57)【要約】【課題】確実に光磁気ディスクまたは磁気ディスクの静電気を放電し、かつノイズの発生を防ぐ磁気ヘッド装置およびディスク記憶装置を提供する。【解決手段】光磁気ディスク９に直接接触し、磁気ヘッド２を内蔵する滑り部材３は導電性材料から形成される。滑り部材３は、金属薄板４およびフレキシブル基板５を介して、接地電位を有する回路基板１１と電気的に接続される。【選択図】図１
2007095212.tif 000002
【特許請求の範囲】
【請求項１】
光磁気ディスクあるいは磁気ディスクに対して記録を行うディスク記録装置に具備される磁気ヘッド装置であって、
記録信号に応じた磁界を光磁気ディスクまたは磁気ディスクに付与する磁気ヘッドと、
上記磁気ヘッドを内蔵し、導電性材料から形成される滑り部材と、
上記滑り部材を、ディスク記録装置の接地部材に電気的に接続するための放電部材とを備えていることを特徴とする磁気ヘッド装置。
【請求項２】
上記滑り部材が導電性樹脂から形成されていることを特徴とする請求項１に記載の磁気ヘッド装置。
【請求項３】
上記放電部材の少なくとも一部には、フレキシブル基板が用いられることを特徴とする請求項１に記載の磁気ヘッド装置。
【請求項４】
光磁気ディスクあるいは磁気ディスクに対して記録を行うディスク記録装置であって
請求項１〜３のいずれか１項に記載の磁気ヘッド装置を備えることを特徴とするディスク記録装置。
【発明の詳細な説明】
【技術分野】
【０００１】
本発明は、光磁気ディスクまたは磁気ディスクに対する記録信号の書き込みに用いられる磁気ヘッド装置、および光磁気ディスクまたは磁気ディスクに対して記録信号の書き込みを行うディスク記録装置に関するものである。
【背景技術】
【０００２】
光磁気ディスク記録装置は、記録媒体として磁性体を用いた光磁気ディスクに対し、記録信号に対応した磁力を付与することにより情報を記憶するものである。
【０００３】
具体的には、まず、光磁気ディスク記録装置は、光磁気ディスクに対し、レーザーを照射する。それにより、上記光磁気ディスクの上記照射部分の温度が局所的に上昇し、上記照射部分の磁気保持力が減少する。そして、記録信号に対応した磁界を上記光磁気ディスクに付与することにより、記録信号は上記光磁気ディスクに記録される。
【０００４】
また、上記光磁気ディスク記録装置では、記録時より出力の弱いレーザーを上記光磁気ディスクに照射することにより、情報の再生を行うことができる。
【０００５】
上述したように、上記光磁気ディスク記録装置が上記光磁気ディスクに情報を記憶するためには、上記光磁気ディスク記録装置は、上記光磁気ディスクに対し十分な磁界を付与する必要がある。そのため、上記光磁気ディスク記録装置は、上記光磁気ディスクに磁界を付与するための磁気ヘッドを備えた滑り部材を、光磁気ディスク表面に直接接触させて滑らせる構成となっている。
【０００６】
なお、上記光磁気ディスクに磁界を付与するための上記磁気ヘッドは、樹脂により箱型に形成された上記滑り部材の内部に設けられたコアに、導線を巻きつけ形成されたコイルによって構成されている。
【０００７】
しかしながら、上記光磁気ディスク記録装置が上記光磁気ディスクに情報を記録している間、上記磁気ヘッドが光磁気ディスクに接触して行う回転動作又は光磁気ディスクの回転による空気との摩擦等によって、上記光磁気ディスクに静電気が帯電する。そのため、上記光磁気ディスク表面に空気中の塵埃等が付着してしまう。その結果、上記光磁気ディスク記録装置が情報を記録又は再生する場合、レーザーによる情報の書き込み又は読み取りが阻害され、上記光磁気ディスク記録装置の記録再生の品質が低下してしまう。
【０００８】
そこで、上記問題を解決するための技術が特許文献１に開示されている。具体的には、特許文献１は、磁気ヘッドを備えた支持部材に導電性の放電用の放電電極を取付け、放電電極の一端を接地電位に接続し、他端を光磁気ディスクのレーベル面に接触させることにより、光磁気ディスクに帯電している静電気を放電する構成である。
【特許文献１】特開平１１−２０３７４２号（公開日平成１１年７月３０日）
【発明の開示】
【発明が解決しようとする課題】
【０００９】
上記従来の構成では、上記磁気ヘッドが上記光磁気ディスクに情報を記憶するため、上記光磁気ディスクに接触する位置に移動した場合、上記磁気ヘッドより上記光磁気ディスク側に設けられた上記放電電極の一端が、上記磁気ヘッドよりも先に上記光磁気ディスクと接触する。その結果、上記光磁気ディスク記録装置は、上記光磁気ディスクに帯電していた静電気を放電する。しかしながら、上記放電電極は、放電のために別部材として磁気ヘッド装置に設けられている。そのため、上記放電電極の一端が上記光磁気ディスクに接触する際に、上記放電電極の一端と上記光磁気ディスクとの位置関係又は抵抗値によっては、確実に上記放電電極と上記光磁気ディスクとの接触が行われない可能性がある。その結果、従来の光磁気ディスク記録装置は、光磁気ディスクに帯電した静電気を確実に放電できない可能性がある。
【００１０】
また、従来の構成の光磁気ディスク記録装置では、上記問題に加え、上記光磁気ディスクに情報を記録する場合、上記磁気ヘッドに生じる情報を記録するための磁界及び上記磁気ヘッドを制御するための制御電流が、上記光磁気ディスク上の磁界変調を行う部分以外の記録信号へノイズとして影響を与えてしまう。その結果、上記光磁気ディスク記録装置の記録の品質を低下させてしまう。
【００１１】
本発明は、上記の問題点に鑑みてなされたものであり、その目的は、確実に光磁気ディスクまたは磁気ディスクの静電気を放電し、かつノイズの発生を防ぐ磁気ヘッド装置およびディスク記録装置を提供することにある。
【課題を解決するための手段】
【００１２】
本発明に係る磁気ヘッド装置は、上記課題を解決するために、光磁気ディスクあるいは磁気ディスク対して記録を行うディスク記録装置に具備される磁気ヘッド装置であって、記録信号に応じた磁界を光磁気ディスクまたは磁気ディスクに付与する磁気ヘッドと、上記磁気ヘッドを内蔵し、導電性材料から形成される滑り部材と、上記滑り部材を、ディスク記録装置の接地部材に電気的に接続するための放電部材とを備えていることを特徴としている。
【００１３】
上記構成によると、本発明に係る磁気ヘッド装置では、光磁気ディスクまたは磁気ディスクに磁界を付与するための磁気ヘッドは、導電性材料より形成された滑り部材に内蔵されている。そして、上記滑り部材は、上記放電部材によって上記接地部材へ電気的に接続される。このように、上記滑り部材から上記接地部材までを電気的に接続することにより、上記光磁気ディスクまたは上記磁気ディスクに帯電する静電気が導電性材料によって形成された上記滑り部材を介して上記接地部材に放出される。また、上記滑り部材は、磁気ヘッド装置を構成する必須部材であり、光磁気ディスクまたは磁気ディスク対し記録時に完全に接触している。これにより、本発明に係る磁気ヘッド装置は、確実に光磁気ディスクまたは磁気ディスクの静電気を放電し、光磁気ディスクまたは磁気ディスクへの塵埃等の付着を防止することができる。
【００１４】
また、上記滑り部材を導電性材料で構成し、これを接地することにより、上記磁気ヘッドに生じる情報を記録するための磁界及び上記磁気ヘッドを制御するための制御電流が、上記光磁気ディスクまたは上記磁気ディスク上の磁界変調を行う部分以外の記録信号にノイズとして影響を与えることを防止することができ、録音の品質を落とすことなく光磁気ディスクまたは磁気ディスクへの記録が可能になる。
【００１５】
また、本発明に係る磁気ヘッド装置では、上記滑り部材が導電性樹脂から形成されていてもよい。
【００１６】
上記構成によれば、上記滑り部材は、自身の滑性により、光磁気ディスクまたは磁気ディスクに対し、低い摩擦抵抗で摺接する。そのため、上記滑り部材と上記光磁気ディスクまたは上記磁気ディスクの間に生じる静電気は最小限で抑えることが可能である。
【００１７】
また、本発明に係る磁気ヘッド装置では、上記放電部材の少なくとも一部には、フレキシブル基板が用いられてもよい。
【００１８】
上記構成によれば、上記フレキシブル基板により、上記磁気ヘッドと制御回路とを接続する部材と、上記放電部材の一部とを兼用可能となる。そのため、本発明に係る磁気ヘッド装置は、アースのために特別な部材を追加することなく、上記光磁気ディスクまたは上記磁気ディスクに帯電した静電気を上記接地部材へと放電することが可能である。
【００１９】
また、本発明に係るディスク記録装置は、上記構成のいずれかの特徴を有した磁気ヘッド装置を備えることを特徴としている。
【００２０】
上記構成により、磁気ヘッドに特徴を有したディスク記録装置を提供することができる。
【発明の効果】
【００２１】
本発明に係る磁気ヘッド装置は、以上のように、光磁気ディスクあるいは磁気ディスクに対して記録を行うディスク記録装置に具備される磁気ヘッド装置であって、記録信号に応じた磁界を光磁気ディスクまたは磁気ディスクに付与する磁気ヘッドと、上記磁気ヘッドを内蔵し、導電性材料から形成される滑り部材と、上記滑り部材を、ディスク記録装置の接地部材に電気的に接続するための放電部材とを備えていることを特徴としている。
【００２２】
そのため、確実に光磁気ディスクまたは磁気ディスクの静電気を放電し、かつノイズの発生を防ぐ磁気ヘッド装置およびディスク記憶装置を提供することができる。
【発明を実施するための最良の形態】
【００２３】
本発明の一実施形態について図１及び図２に基づいて説明すると以下の通りである。
【００２４】
〔光磁気ディスク記録装置の全体構成〕
図１は、本実施形態に係る光磁気ディスク記録装置（ディスク記録装置）１の全体構成を示す側断面図である。また、図２は、光磁気ディスク記録装置１の全体構成を示す上面図である。
【００２５】
図１に示すように、本実施形態に係る光磁気ディスク記録装置１は、回路基板（接地部材）１１上に、シャーシ１０と、ターンテーブル１４と、磁気ヘッド装置７と、コネクター８とを備え、シャーシ１０内に対物レンズ１２を有する光ピックアップ装置１３と、スピンモータ１５とを備えた構成である。
【００２６】
なお、光磁気ディスク記録装置１によって記録再生される光磁気ディスク９としては、例えば、ＭＤ、ＭＯなどがある。
【００２７】
光磁気ディスク記録装置１において、回路基板１１上に光磁気ディスク記録装置１の土台となる直方体のシャーシ１０が開口面を回路基板１１に向けて設けられている。シャーシ１０の内側の上面には、ターンテーブル１４を回転させるスピンモータ１５が設けられている。そして、シャーシ１０の外側の上面には、スピンモータ１５と対応する位置にターンテーブル１４が設けられている。そして、ターンテーブル１４上には、光磁気ディスク９のセンタープレートが吸着保持されている。
【００２８】
また、シャーシ１０の開口している側面には、磁気ヘッド装置７を上面に備えた光ピックアップ装置１３が備えられている。なお、光ピックアップ装置１３はシャーシ１０の内部に、磁気ヘッド装置７はシャーシ１０の外部に配されるように構成されている。上記構成により、光磁気ディスク９の情報記録面側からは光ピックアップ装置１３によりレーザーを照射し、光磁気ディスク９のレーベル面側からは磁気ヘッド装置７により磁界を付与することができる。
【００２９】
また、磁気ヘッド装置７は、光磁気ディスク９と接する側の端と反対方向の一端において、コネクター８を介して回路基板１１と接続されている。
【００３０】
また、磁気ヘッド装置７は、光磁気ディスク９に対して光ピックアップ装置１３と反対側に設けられており、磁気ヘッド装置７及び光ピックアップ装置１３は、同期して光磁気ディスク９の径方向へ移動する。
【００３１】
なお、光磁気ディスク９は、図２に示すように、ディスクカートリッジ１８の内部に備えられている。ディスクカートリッジ１８は、その上下両面に開口部１６ａ、１６ｂが形成されており、上記開口部１６ａ、１６ｂを覆うため側方にスライドするシャッター１７を備えている。
【００３２】
シャッター１７は、光磁気ディスク９の記録・再生を行わない場合において、光磁気ディスク９の記録層を保護するために設けられている。
【００３３】
〔磁気ヘッド装置の構成〕
以下に、本発明の特徴部分である磁気ヘッド装置７の構成について、具体的に説明する。上記磁気ヘッド装置７は、磁気ヘッド２と、滑り部材３と、金属薄板（放電部材）４と、フレキシブル基板（放電部材）５とを備えて構成されている。
【００３４】
なお、本実施形態では、磁気ヘッド装置７は光磁気ディスク記録装置に用いられているが、本発明は磁気ディスク記録装置にも適用することが可能である。
【００３５】
磁気ヘッド２は、箱状に形成された導電性樹脂からなる滑り部材３内部に内蔵されており、滑り部材３内部に立設されたコアにコイルを巻装して形成されている。金属薄板４は、磁気ヘッド２および滑り部材３を支持する部材であり、回転支持部１９を回転中心として光磁気ディスク９に対して上下に移動可能となっている。金属薄板４と滑り部材３とは、電気的に接続されている。また、フレキシブル基板５は、磁気ヘッド２および金属薄板４を、回路基板１１上のコネクター８に接続している。
【００３６】
すなわち、本実施形態に係る磁気ヘッド装置７は、磁気ヘッド２および滑り部材３を支持した金属薄板４が回転支持部１９によって光磁気ディスク９に対し上下方向へ移動可能にされた、いわゆるオーバーライトヘッド方式の磁気ヘッド装置を構成している。そして、光磁気ディスク９への書き込み時には、滑り部材３を光磁気ディスク９の表面に摺接させることによって、磁気ヘッド２を光磁気ディスク９表面に近接させた位置に保ち、光磁気ディスク９に対して十分な外部磁界を付与することができる。
【００３７】
例えば、光磁気ディスク記録装置１が作動していない場合、又は光磁気ディスク記録装置１が光磁気ディスク９に記録されている情報を再生する場合には、回転支持部１９は、金属薄板４を滑り部材３が光磁気ディスク９と接触しない待機位置で支持する。また、光磁気ディスク記録装置１が光磁気ディスク９に記録信号を記録する場合には、回転支持部１９は、金属薄板４を滑り部材３が光磁気ディスク９に対して直接接触する動作位置で支持する。
【００３８】
磁気ヘッド２は、コイルに記録信号に対応した電流を流すことによって、記録信号に応じた磁界を光磁気ディスク９に付与するものである。
【００３９】
滑り部材３は、導電性樹脂から構成されており、光磁気ディスク９のレーベル面に対して直接接触する。本実施形態では、滑り部材３を構成する導電性樹脂は、樹脂自身が導電性を有している。なお、本実施形態では滑り部材３は、導電性樹脂を使用しているが、導電性を有しかつ摩擦抵抗が低い材料であればよい。
【００４０】
フレキシブル基板５は、金属薄板４と回路基板１１を電気的に接続するための可撓性を有した基板である。フレキシブル基板５上には、３本の配線が基板の長手方向に並行して設けられている。そして、フレキシブル基板５及び上記配線はコネクター８を介して回路基板１１と接続されている。
【００４１】
フレキシブル基板５上に設けられた上記配線の内２本の配線は、その一端（回路基板１１側）がコネクター８を介し、回路基板１１上に設けられた制御回路に接続されている。そして、上記配線の他端（光磁気ディスク９側）は、滑り部材３に内蔵される磁気ヘッド２のコアに巻きつけられたコイルに接続されている。なお、上記制御回路は、磁気ヘッド装置７及び光ピックアップ装置１３の動作を記録信号に応じて制御するものである。
【００４２】
また、フレキシブル基板５上に設けられたもう１本の配線は、その一端（回路基板１１側）がコネクター８を介し、回路基板１１上に設けられた接地電位であるアース部（図示せず）に接続される。そして、上記配線の他端（光磁気ディスク９側）は、金属薄板４に接続される。なお、上記配線と金属薄板４との接続は、上記配線の他端である接続端子６を金属薄板４上に半田付け、ビス止め、圧着接続等を行うことによってなされる。
【００４３】
このように、本実施形態では、金属薄板４と回路基板１１とを電気的に接続するためのフレキシブル基板５は、磁気ヘッド２と制御回路とを接続するための部材と併用している。このために特別な部品を追加することなく、光磁気ディスク９に帯電した静電気を回路基板１１へと放電することが可能である。
【００４４】
なお、本発明においては、接地部材は回路基板１１に限られるものではなく、他の接地部材、例えば、シャーシ１０であってもよい。
【００４５】
また、本発明においては、金属薄板４と回路基板１１とを電気的に接続するための部材は、磁気ヘッド２と制御回路を接続するための部材と併用される構成に限られない。つまり、フレキシブル基板５と、磁気ヘッド２と制御回路とを接続するための部材とは、別に設けられていてもよい。
【００４６】
以上のように、滑り部材３から回路基板１１までを電気的に接続することにより、滑り部材３と光磁気ディスク９との摩擦又は光磁気ディスク９の回転による空気との摩擦によって発生する静電気が、導電性樹脂によって形成された滑り部材３を介して回路基板１１に放出される。また、上記滑り部材３は、磁気ヘッド装置７を構成する必須部材であり、光磁気ディスク９対し記録時に完全に接触している。これにより、磁気ヘッド装置７は、確実に光磁気ディスク９の静電気を放電する。この結果、本実施形態に係る光磁気ディスク記録装置１は、光磁気ディスク９への塵埃等の付着を防止することができる。
【００４７】
また、上記滑り部材３を導電性樹脂で構成し、これを接地することにより、上記磁気ヘッド２に生じる情報を記録するための磁界及び上記磁気ヘッド２を制御するための制御電流が、上記光磁気ディスク９上の磁界変調を行う部分以外の記録信号にノイズとして影響を与えることを防止することができる。すなわち、滑り部材３を磁気ヘッド２のシールドとして作用させることができる。その結果、本実施形態に係る光磁気ディスク記録装置１は、品質を落とすことなく光磁気ディスク９への記録が可能になる。
【００４８】
また、本発明に係る光磁気ディスク記録装置１では、滑り部材３は導電性材料であればよいが、本実施形態では、滑り部材３は樹脂から構成されている。上記構成により、上記滑り部材３は、自身の滑性により、光磁気ディスク９に対し、低い摩擦抵抗で摺接する。そのため、上記滑り部材３と上記光磁気ディスク９の間に生じる静電気は最小限で抑えることが可能である。
【００４９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５０】
本発明は、光磁気ディスクに対して情報の記憶を行う光磁気ディスク記録装置に好適に利用することができる。
【図面の簡単な説明】
【００５１】
【図１】本発明に係る光磁気ディスク記録装置の側断面図である。
【図２】本発明に係る光磁気ディスク記録装置の上面図である。
【符号の説明】
【００５２】
１    光磁気ディスク記録装置（ディスク記録装置）
２    磁気ヘッド
３    滑り部材
４    金属薄板（放電部材）
５    フレキシブル基板（放電部材）
６    接続端子
７    磁気ヘッド装置
９    光磁気ディスク
１１  回路基板（接地部材）
１９  回転支持部
【図１】
2007095212.tif 000003
【図２】
2007095212.tif 000004